【事件の表示】
　特願２０００−１５４８１７「射出成形用表示装置における速度・圧力の表示方法」拒絶査定不服審判事件〔平成１３年１２月　４日出願公開、特開２００１−３３４５６０〕について、次のとおり審決する。
【結　論】
　本件審判の請求は、成り立たない。
【理　由】
１．手続の経緯
　特許出願　　　　平成１２年５月２５日
　拒絶理由通知　　平成１６年１月１５日付け
　意見書　　　　　平成１６年３月２２日付け
　拒絶理由通知　　平成１６年４月７日付け
　意見書及び手続補正書　　平成１６年６月１１日付け
　拒絶査定　　　　平成１６年６月２９日付け（平成１６年４月７日付けで通知した理由）
　審判請求　　　　平成１６年７月２９日
　手続補正書　　　平成１６年７月２９日付け
　
２．本願発明
　本願の請求項１、２に係る発明（以下、それぞれ、「本願発明１」、「本願発明２」という。）は、特許法第１７条の２第４号第３号に掲げる誤記の訂正を目的としてされた平成１６年７月２９日付け手続補正書により補正された明細書の特許請求の範囲の請求項１、２に記載される事項により特定される以下のものであると認める。
本願発明１：
「成形条件として設定される各種類の数値欄と共に、横軸を時間スケールとして保圧工程の速度及び／又は圧力を表示する時間軸表示画面と、横軸を位置スケールとして射出工程の速度及び／又は圧力を表示する位置軸表示画面とを、表示パネル面内に横並びに設けた射出成形用表示装置において、
　上記位置軸表示画面と上記時間軸表示画面の両方にＶ−Ｐ切換点を縦軸として表示し、時間軸表示画面をＶ−Ｐ切換点の縦軸により左右に表示区分して、Ｖ−Ｐ切換後の速度・圧力の状況をＶ−Ｐ切換前から時間軸表示画面に連続して波形表示してなることを特徴とする射出成形用表示装置における速度・圧力の表示方法。」
本願発明２：
「上記Ｖ−Ｐ切換点の縦軸による時間軸表示画面内の区分比率は、任意に変更可能であることを特徴とする請求項１記載の射出成形用表示装置における速度・圧力の表示方法。」
（なお、上記明細書の特許請求の範囲の請求項１には、「…波形表示してなることを特徴とするする射出成形用表示装置における速度・圧力の表示方法。」と記載されているが、「…特徴とするする…」は、「…特徴とする…」の明らかな誤記と認められるので、上のとおり認定した。）
　
３．原査定の理由の概要
　本願発明１、２は、本願出願前に国内において頒布された以下の刊行物１及び２に記載された発明に基いて当業者が容易に発明をすることができたものであるから、特許法第２９条第２項の規定により、特許を受けることができない、というにある。
　刊行物１：　特開平５−５７７７３号公報
　刊行物２：　特開平７−４０４０７号公報
　
４．刊行物の記載
４−１．刊行物１の記載
ア：　「設定された各運転条件値と各センサからの計測情報とに基づきマシンの各部を駆動制御するマイクロコンピュータを具備し、該マイクロコンピュータは、予め定められた成形運転プログラムに従ってチャージ行程、型開閉行程、射出行程、エジェクト行程等の一連の成形運転行程を実行させると共に、運転中の各運転条件の実測データを取り込んで格納し、また、オペレータの指示によって前記マイクロコンピュータは前記取り込んだ実測データを変換処理して、マシンに付設された表示装置に実測データのグラフィック画像を表示する射出成形機において、
前記マイクロコンピュータは、射出行程の実測グラフィック画像の表示を指示されると、表示画像の一方の略横半分を、その横軸を少なくとも射出開始位置からスクリュー前進限基準位置（スクリューの機械的前進限界点）まで射出ストローク（位置）目盛で区分した第１の表示領域として、速度及び／又は圧力のグラフィック画像を表示させ、また、表示画像の他方の略横半分を、その横軸を保圧切替え時点から少なくとも保圧完了時点まで時間目盛で区分した保圧行程専用の第２の表示領域として、速度及び／又は圧力のグラフィック画像を表示させ、前記第１の表示領域における保圧切替え設定位置近傍からスクリュー前進限基準位置までの間の領域に、保圧行程区間の速度及び／又は圧力の位置軸に沿った変化特性をグラフィック画像として表示させるようにしたことを特徴とする射出成形機の射出行程グラフィック表示方法。」（特許請求の範囲の請求項１）
イ：　「本発明は上記の点に鑑みなされたもので、その目的とするところは、各ショット毎のクッション量のばらつき等が的確に把握可能で、射出行程全体の実測運転データの把握性に優れた射出成形機の射出行程グラフィック表示方法を提供することにある。」（段落０００７）
ウ：　「成形プロセス制御部１１は、予め作成された成形プロセス制御プログラムと、成形条件設定記憶部１０に格納された設定条件値とに基づき、マシンの各部に配設された前記センサ群２（位置センサ、圧力センサ、温度センサ等々）からの計測情報及び自身に内蔵されたクロックからの計時情報を参照しつつ、前記ドライバ群３（モータドライバ、油圧シリンダドライバ、ヒータドライバ等々）を介して対応する駆動源を駆動制御し、一連の成形行程を実行させる。なお、前記センサ群３に含まれるセンサを具体的に挙げると、…スクリューストローク検出センサ、スクリュー回転数検出センサ、射出圧力及び背圧検出センサ…等が挙げられる。
…実測値記憶部１２には、連続自動運転時における予め設定されたモニタ項目の総べての実測データが、連続する所定回数のショットにわたって取り込まれる。取り込まれるモニタ項目としては、１○時間監視項目、２○位置監視項目、３○回転数監視項目、４○速度監視項目、５○圧力監視項目、６○温度監視項目、７○電力監視項目等が挙げられ、前記した成形運転条件設定項目の重要項目がほぼオーバーラップするようになっている。なお、速度実測値は、前記した各ストローク（位置）検出センサからの計測情報とクロック情報とに基づき、前記マイコン１内の図示せぬ演算処理部によってリアルタイムに算出され、これが実測値記憶部１２の所定エリアに格納される。」（段落００１３、００１４。なお、「１○」は、○の中に数字１が書かれた、いわゆる丸数字を意味する。「２○」以下についても同様。）
エ：　「図２は、オペレータが射出行程のグラフィック画像の表示を指定したときに、自動スケールモードで表示装置５の表示画面上に呼び出される最新成形サイクルの射出行程グラフィック画像を示している。同図において、横軸の右半分は射出ストローク（スクリューの位置）目盛によって区分されており、横軸の中央点２１をスクリュー前進限基準位置（スクリューの機械的前進限界点）の「０」として、また、スクリューの全ストロークを上回る切りの良い数値が右端の最大値となるようにして目盛が作成され、横軸の右半分の下側には、中央点２１から右側に向かって増加するようにスケール（距離）を表わす数値が示されている。一方、横軸の左半分は時間目盛で区分されており、横軸の中央点２１を保圧切替え時点の「０」として、また、保圧切替えから保圧完了までの全保圧時間を上回る切りの良い数値が左端の最大値となるようにして目盛が作成され、横軸の左半分の下側には、中央点２１から左側に向かって増加するようにスケール（時間）を表わす数値が示されている。また、縦軸は同図で左側が射出圧を示しており、これのスケールを示す数値が同図の左側に表わされており、縦軸の同図で右側は射出速度を示しており、これのスケールを示す数値が同図の右側に表わされている。すなわち、図２の画像の右半分は、位置軸に沿って射出全行程にわたる速度（射出速度たるスクリュー前進速度）と圧力（１次射出圧力及び保圧圧力〔２次〜ｎ次圧力〕）を表示する表示領域となっており、画像の左半分は、時間軸に沿って保圧行程の速度と保圧圧力とを表示する保圧行程専用の表示領域となっている。なお、図２の画像の右半分の領域には、射出開始位置を示す縦線２２と保圧切替え設定位置を示す縦線２３とが表示されている。」（段落００１６）
オ：　「図２において、２４が速度の実測データ、２５が圧力の実測データをそれぞれ示しており、また、２６が速度の設定データ、２７が圧力の設定データをそれぞれ示している。そして、速度、圧力に関するグラフ特性線はそれぞれ異なるカラーで表示され、且つ、このカラー分けに応じてそれぞれの目盛数字、単位、項目文字が同一のカラーで統一して表示されるようになっており、オペレータには一目でどのグラフ特性線が何を表わしているのかを認知できるようになっている。…図２の表示画面において下側に示されたのは、グラフィック画像表示状態時に表示される前記キー入力装置４中の図示せぬファンクションキーに割当てられた現在の操作機能と現在の表示モードを示しており、当初の状態では「＝１回書き」と「＝自動」とが表示されており、この状態ではマイコン１は実測グラフィックデータを最新の成形１サイクル分のみを線描し、また、グラフのスケールをマイコン１の表示処理部１３が自動スケールモードで設定・作成してもので表示している。」（段落００１７）
カ：　「図２の表示画像の右半分の領域内の前記保圧切替え設定位置を示す縦線２３と横軸の中央点２１を通る縦線２８との間の領域Ｓ（図２でハッチングを施した領域）には、保圧切替え以後の保圧行程区間の速度と圧力の実測データとがグラフィック表示される。」（段落００１８）
キ：　図面の【図２】には、略中央部に、ハッチングが施された「領域Ｓ」が描かれ、該「領域Ｓ」の中に、２４及び２５のグラフが描かれ、該「領域Ｓ」の右方に、２４、２５及び２６のグラフが描かれ、該「領域Ｓ」の左方に、２４、２５及び２７のグラフが描かれていることが、それぞれ認められる。
　
４−２．刊行物２の記載
ク：　「【従来の技術】　…射出成形機の充填工程と保圧工程とからなる射出工程におけるスクリュ３の速度変化や圧力変化をＣＲＴ等のモニタ画面に表示して、成形条件を把握し品質管理を行なっているが、これらのモニタ表示方法は、従来、下記のような複数のやり方がなされていた。第１の方法は、図６に示すように、充填工程と保圧工程を同一の時間スケールで横軸にとり、縦軸にそれぞれ速度や圧力を表示して波形を画面表示したものである。第２の方法は、図７に示すように充填工程の速度・圧力変化と保圧工程の速度・圧力変化を時間軸を横軸として別々に画面表示したり、図８に示すように充填工程の速度・圧力変化は横軸を位置スケールで表示し、保圧工程の速度・圧力変化は横軸を時間軸としてやはり別々の画面表示するやり方である。また、第３の方法は、図９に示すように、充填工程は位置スケール、保圧工程は時間スケールとして同一画面に連続表示するやり方である。」（段落０００２）
ケ：　「【発明が解決しようとする課題】　しかしながら、上述した第１の方法では設定した成形条件次第で充填工程と保圧工程の時間が極端に異なる場合があり、どちらか一方が表示画面の１部しか表示されず充分な分解能で表示できないという難点がある。また、第２の方法では、充填工程から保圧工程へ移行する遷移領域に画面上の断点が生じるので、ＶＰ切替点（充填工程と保圧工程との境界線）付近の挙動が把握しにくいという欠点がある。一方、第３の方法では、充填工程中の表示が位置軸に対応するものであり、充填工程中の機械動作の過渡現象は時間に対して変化するので、過渡現象がとらえにくいという難点がある。」（段落０００３）
コ：　「射出成形機の成形条件を水平な時間軸基準でモニタ表示する射出成形機のモニタ表示方法において、ディスプレイ装置の画面中央で左右２分割された各々の画成画面に充填工程における速度波形と保圧工程における圧力波形をそれぞれ表示するとともに、該各々の画成画面のほぼ全域に亘って前記速度波形ならびに前記圧力波形の全体が各々表示されるように各々異なる時間スケールで表示する射出成形機のモニタ表示方法。」（特許請求の範囲の請求項１）
サ：　「本発明によれば，モニタ表示画面ほぼ２等分し，充填工程と保圧工程の全体をそれぞれ分割された画面全域に拡大して表示するため各々の時間軸（横軸）を異なるスケールで画面表示した。したがって，モニタ波形の解読性が高く，過渡現象も把握しやすい。」（段落０００５）
シ：　「【実施例】…ディスプレイ装置のＣＲＴ画面の中央に上下の余白を残してほぼ２分割された左右一対の画成された２つの表示領域を設け、それぞれ充填工程の速度・圧力波形と保圧工程の速度・圧力波形を表示し、上下の余白部分は備考欄として使用し、種々のデータの表示個所としている。」（段落０００６）
ス：　図６において、充填工程と保圧工程における速度及び圧力を、横軸を時間として、「ＶＰ」をまたぎ連続して波形表示したグラフが記載されているものと認められる。
　
５．刊行物１に記載された発明
　刊行物１には、射出成形機におけるグラフィック表示方法に関する発明が記載されていることから、射出成形において述べる「行程」は、「工程」と実質的に同一と認められるので、摘示ア、ウ、エ、カから、
「設定された各運転条件値と各センサからの計測情報とに基づきマシンの各部を駆動制御するマイクロコンピュータを具備し、該マイクロコンピュータは、予め定められた成形運転プログラムに従ってチャージ工程、型開閉工程、射出工程、エジェクト工程等の一連の成形運転工程を実行させると共に、
時間、位置、回転数、速度、圧力、温度、電力等のモニタ項目について、
運転中の各運転条件の実測データを取り込んで格納し、また、オペレータの指示によって前記マイクロコンピュータは前記取り込んだ実測データを変換処理して、マシンに付設された表示装置に実測データのグラフィック画像を表示する射出成形機において、
前記マイクロコンピュータは、射出工程の実測グラフィック画像の表示を指示されると、表示画像の一方の略横半分を、その横軸を少なくとも射出開始位置からスクリュー前進限基準位置（スクリューの機械的前進限界点）まで射出ストローク（位置）目盛で区分した第１の表示領域として、速度及び／又は圧力のグラフィック画像を表示させ、また、表示画像の他方の略横半分を、その横軸を保圧切替え時点から少なくとも保圧完了時点まで時間目盛で区分した保圧工程専用の第２の表示領域として、速度及び／又は圧力のグラフィック画像を表示させ、
横軸の中央点２１を保圧切替え時点の「０」とし、該横軸の中央点２１を通る縦線２８を表示し、
前記第１の表示領域における、縦線２３として表示されている保圧切替え設定位置近傍からスクリュー前進限基準位置までの間の領域に、保圧工程区間の速度及び／又は圧力の位置軸に沿った変化特性をグラフィック画像として表示させるようにしたことを特徴とする射出成形機の射出工程グラフィック表示方法。」の発明（以下、「刊行物１発明」という。）が記載されているものと認められる。
（なお、以下、「行程」は、「工程」と表記することとする。）
　
６．本願発明１と刊行物１発明との対比
　本願発明１（以下、「前者」という。）と刊行物１に記載された発明（以下、「後者」という。）とを対比すると、
第１に、後者における「マシンに付設された表示装置」が、前者における「射出成形用表示装置」に相当することは明らかであり、
第２に、後者における「第２の表示領域」及び「第１の表示領域」は、それぞれ、前者における「時間軸表示画面」及び「位置軸表示画面」に相当するものと認められ、
第３に、後者における「縦線２３」及び「縦線２８」は、いずれも、前者における「縦軸」に相当するものと認められ、
第４に、後者における「第２の表示領域」及び「第１の表示領域」は、横並びに設けられていると認められ、かつ、
第５に、後者における「保圧切替え時点」は、本願明細書の段落０００８の「一般に保圧切換点は、それまでの充填速度制御から圧力制御に切換わる制御ポイントを云う。実質的に保圧切換点は速度と圧力の制御の切換点であることから、この発明ではその制御ポイントをＶ−Ｐ切換点と称する。」との記載に照らしても、前者における「Ｖ−Ｐ切換点」に相当すると認められるから、
両者は、「横軸を時間スケールとして保圧工程の速度及び／又は圧力を表示する時間軸表示画面と、横軸を位置スケールとして射出工程の速度及び／又は圧力を表示する位置軸表示画面とを、表示パネル面内に横並びに設けた射出成形用表示装置において、
　上記位置軸表示画面と上記時間軸表示画面の両方にＶ−Ｐ切換点を縦軸として表示し、
Ｖ−Ｐ切換後の速度・圧力の状況を時間軸表示画面に連続して波形表示してなる射出成形用表示装置における速度・圧力の表示方法。」において一致し、
相違点１：　前者が、「成形条件として設定される各種類の数値欄」を設けるのに対して、後者は、該「数値欄」を設けていない点、
相違点２：　時間軸表示画面における速度・圧力の状況の表示を、前者が、「Ｖ−Ｐ切換後の速度・圧力の状況をＶ−Ｐ切換前から」連続して波形表示するのに対して、後者は、Ｖ−Ｐ切換前から連続して表示していない点、及び、
相違点３：　前者が、「時間軸表示画面をＶ−Ｐ切換点の縦軸により左右に表示区分」するのに対して、後者は、Ｖ−Ｐ切換点の縦軸によって左右に区分していない点、
において相違する。
　
７．相違点１〜３についての検討
７−１．相違点１についての検討
　まず、前者における「成形条件として設定される各種類の数値欄」については、本願明細書の段落００１２に「充填速度欄６、保圧欄７、Ｖ−Ｐ切換位置欄８、リミット圧欄９などの数値欄」として、具体的な例が記載されているごときの数値（以下、「本願設定数値」という。）を表示するものである。
　刊行物１には、摘示オとして、表示画面の下側に、キー入力装置中のファンクションキーに割当てられた現在の操作機能と現在の表示モードとを示すことが記載されており、速度・圧力の波形以外の情報の表示欄を設けることが記載されているものといえる。
　そして、刊行物２には、摘示ク、コから明らかに射出成形用表示装置における速度・圧力の表示方法に関する発明が記載され、更に、摘示シとして、波形表示以外の、上下の余白部分を、備考欄として使用し、種々のデータの表示個所とすることが記載されている。
　刊行物１発明と、刊行物２に記載された発明は、射出成形用表示装置における速度・圧力の表示方法に関する発明として分野を同じくする発明であるから、刊行物１発明における速度・圧力の波形以外の情報の表示欄に、刊行物２に記載される「種々のデータ」をも表示するよう設計することは、当業者が適宜なし得る程度のことである。
　更に、刊行物１発明は、設定された各運転条件値と各センサからの計測情報とに基づきマシンの各部を駆動制御するマイクロコンピュータを具備するものであるから、表示しようとする「種々のデータ」として、現に設定されている各運転条件値を表示する欄を設けることは、当業者が容易に想起することであり、また、該各運転条件値は、先にあげた本願設定数値と重複するものと認められるから、当該、設定された各運転条件値を表示する表示欄を、「成形条件として設定される各種類の数値欄」と概念付けることは、当業者にとり容易である。
　したがって、相違点１は、当業者が容易に想到し得る程度のことである。
　
７−２．相違点２についての検討
　刊行物１の記載事項を再度整理して検討する。
　まず、摘示アから、表示画像の一方の略横半分は、「その横軸を少なくとも射出開始位置からスクリュー前進限基準位置（スクリューの機械的前進限界点）まで射出ストローク（位置）目盛で区分した第１の表示領域」であって、「速度及び／又は圧力」を波形表示するものであり、しかも、「第１の表示領域における保圧切替え設定位置近傍からスクリュー前進限基準位置までの間の領域に、保圧工程区間の速度及び／又は圧力の位置軸に沿った変化特性」を波形表示するものである。
　また、摘示エから、具体例として、「図２の画像の右半分は、位置軸に沿って射出全工程にわたる速度（射出速度たるスクリュー前進速度）と圧力（１次射出圧力及び保圧圧力〔２次〜ｎ次圧力〕）を表示する表示領域」であって、かつ、「図２の画像の右半分の領域には、射出開始位置を示す縦線２２と保圧切替え設定位置を示す縦線２３とが表示されている」ものである。
　そして、摘示カから、「図２の表示画像の右半分の領域内の前記保圧切替え設定位置を示す縦線２３と横軸の中央点２１を通る縦線２８との間の領域Ｓ（図２でハッチングを施した領域）には、保圧切替え以後の保圧工程区間の速度と圧力の実測データとがグラフィック表示される。」
　更に、摘示キからみると、２４と２５のグラフは、保圧切替え設定位置を示す縦線２３において、それぞれ連続して表示されていることが窺える。
　これらを総合すると、刊行物１には、第１の表示領域、すなわち、位置軸表示における速度・圧力の状況の表示を、「Ｖ−Ｐ切換後の速度・圧力の状況をＶ−Ｐ切換前から」連続して波形表示することが記載されていると認められる。
　してみると、相違点２についての検討は、位置軸表示における速度・圧力の状況の表示を、「Ｖ−Ｐ切換後の速度・圧力の状況をＶ−Ｐ切換前から」連続して波形表示することから、時間軸表示における速度・圧力の状況の表示を、「Ｖ−Ｐ切換後の速度・圧力の状況をＶ−Ｐ切換前から」連続して波形表示することを想到することが、当業者にとって容易であるかどうかの検討に帰着する。
　この検討はさらに、「Ｖ−Ｐ切換後の速度・圧力の状況をＶ−Ｐ切換前から」連続して波形表示する方法を、（１）時間軸表示に適用すること自体を容易に想到できるかどうかの検討と、（２）時間軸表示に適用する際の、技術的な解決方法を容易に想到できるかどうかの検討、とに分解される。
　
７−２−１．時間軸表示に適用することの容易性の検討
　刊行物２には、摘示ク、スで、「図６」として「従来の技術」が開示され、射出成形用表示装置における速度及び／又は圧力の表示方法において、充填工程の速度・圧力波形と保圧工程の速度・圧力波形とを、時間軸基準で、ＶＰ切替点をまたぎ連続して波形表示することが、記載されている。
　してみれば、刊行物発明１における画面構成において、位置軸表示における速度・圧力の状況の表示を、「Ｖ−Ｐ切換後の速度・圧力の状況をＶ−Ｐ切換前から」連続して波形表示することに加えて、又は、これに換えて、
刊行物２に従来技術として記載されるように当業者に極めて広く知られた技術と認められる波形表示方法である、時間軸表示における速度・圧力の状況の表示を、「Ｖ−Ｐ切換後の速度・圧力の状況をＶ−Ｐ切換前から」連続して波形表示する方法を採用することは、当業者であれば容易に想到する程度のことである。
　
７−２−２．技術的な解決方法の容易性の検討
　次に、刊行物２には、摘示クとして、充填工程の速度・圧力波形と保圧工程の速度・圧力波形とを、時間軸基準で連続して波形表示する際、同一の時間スケールで横軸をとることが、また、摘示コとして、異なる時間スケールで横軸をとることが、それぞれ記載されており、時間軸基準の波形表示においては、少なくとも２つの表示方法が開示され、その際の問題点や課題も、摘示ケ、シに示されるように認識されているのであるから、充填工程の速度・圧力波形と保圧工程の速度・圧力波形とを、時間軸基準で連続して波形表示すること自体に、技術的な困難性があるとする理由は何ら見い出せない。
　しかも、刊行物１発明にあっては、摘示ア、オ〜キから、速度及び圧力を、位置軸に沿って、連続的に表示するものであるが、該速度及び圧力は、摘示ウから、射出工程及び保圧工程において、継続的に検知されているものであって、その検知の際には、「クロックからの計時情報」が参照できることからすれば、速度及び圧力は、射出工程及び保圧工程において、継続的に時間軸に対する関数として把握し得るものと認められるから、横軸を時間スケールとする時間軸表示画面に表示させることが、当業者にとって困難なことであるとはいうことができない。
　
７−２−３．相違点２の検討のまとめ
　結局のところ、相違点２は、当業者が容易に想到し得る程度のことである。
　
７−３．相違点３についての検討
　刊行物１発明にあっては、摘示エから、図２の画像の右半分の表示領域に、位置軸に沿って射出全工程にわたる速度と圧力（１次射出圧力及び保圧圧力〔２次〜ｎ次圧力〕）とが表示されるものであるところ、該表示領域の中に、保圧切替え設定位置を示す縦線２３とが表示されていることから、位置軸表示画面を、Ｖ−Ｐ切換点の縦軸により左右に表示区分しているものと認められる。
　７−２．において検討したように、それ自体、当業者が容易に想到することができる程度の事項である、時間軸表示において、「Ｖ−Ｐ切換後の速度・圧力の状況をＶ−Ｐ切換前から」連続して波形表示しようとする場合には、「Ｖ−Ｐ切換後の速度・圧力」と「Ｖ−Ｐ切換前の速度・圧力」を時系列的に表示することが不可欠であるから、６．において一致点として述べたとおり、時間軸表示画面に縦軸として表示されているＶ−Ｐ切換点が、Ｖ−Ｐ切換前からＶ−Ｐ切換後に連続する波形表示の途中の箇所に存在することは自明のことである。
　そうであれば、時間軸表示画面は、該Ｖ−Ｐ切換点の縦軸により左右に表示区分されることとなる。
　してみれば、相違点３は、相違点２を発明を特定するために必要な事項に備えることに必然的に付随する事項に当たるから、結局のところ、相違点３も、相違点２と同様に、当業者が容易に想到し得る程度のことである。
　
７−４．まとめ
　そして、本願発明１が、相違点１〜３を発明を特定するために必要な事項に備えることによって奏される効果は、刊行物２の摘示ケ、シにも示される、充填工程から保圧工程との境界付近の挙動を的確に把握するという当業者に広く知られた課題を解決するものであって、その程度が格別のものであるとも認めることはできない。
　
　したがって、本願発明１は、刊行物１、２に記載された発明に基いて当業者が容易に発明をすることができたものであるから、特許法第２９条第２項の規定により、これについては特許を受けることができない。
　
８．本願発明２と刊行物１発明との対比、及び、相違点についての検討
　本願発明２と刊行物１発明とを対比すると、７．において検討済みの相違点１〜３に加えて、
相違点４：　本願発明２が、「Ｖ−Ｐ切換点の縦軸による時間軸表示画面内の区分比率は、任意に変更可能である」のに対して、刊行物１発明では、時間軸表示画面内の区分比率について何らの言及もない点、で更に相違する。
　しかしながら、７．で検討したように、時間軸表示画面を、Ｖ−Ｐ切換点の縦軸によって区分することが当業者にとって容易である以上、時間軸表示画面内の区分比率は、当業者が適宜設定可能な設計事項にすぎない。
　また、その効果について検討すると、Ｖ−Ｐ切換前の射出工程に要する時間の長さは、Ｖ−Ｐ切換後の保圧工程に要する時間の長さに比較して顕著に短いことが、当業者の技術常識であるから、Ｖ−Ｐ切換後の保圧工程は基本的に全期間に亘って表示されると解されることを踏まえれば、時間軸表示画面内の区分比率を変動させて、Ｖ−Ｐ切換前の射出工程に係る速度・圧力の状況の波形表示を増やしたところで、保圧開始前後の圧力状況の把握という本願発明１、２に係る課題の解決の程度が向上するものとは認められない。
　すなわち、極限の場合として、射出工程の全期間を表示すべく、時間軸表示画面内の区分比率を設定する場合は、刊行物２において、摘示ク、ケで、従来の技術の第１、第２の方法として示された方法の適用にすぎない。
　
　したがって、本願発明２は、刊行物１、２に記載された発明に基いて当業者が容易に発明をすることができたものであるから、特許法第２９条第２項の規定により、これについては特許を受けることができない。
　
９．むすび
　以上のとおりであるから、原査定は妥当であって、本願は、拒絶を免れないものである。
　よって、結論のとおり審決する。